(57)【要約】【課題】各ユーザが撮像装置で撮像した映像コンテンツをIPTV規格の映像機器で視聴することが可能な映像配信システムを提供する。【解決手段】  映像処理装置（200）は、撮像装置（100）で作成された映像コンテンツをIPTV規格の映像コンテンツに変換し、該変換したIPTV規格の映像コンテンツをコンテンツ配信サーバ（400）に登録する。そして、コンテンツ配信サーバ（400）は、映像処理装置（200）から登録された映像コンテンツを映像機器（600）に配信する。【選択図】図１
2010074773.tif 000002
【特許請求の範囲】
【請求項１】
撮像装置で作成された映像コンテンツをIPTV規格の映像コンテンツに変換し、該変換したIPTV規格の映像コンテンツを配信サーバに登録することを特徴とする映像処理装置。
【請求項２】
IPTV規格の映像機器と、前記映像機器にIPTV規格の映像コンテンツを配信する配信サーバと、撮像装置と、映像処理装置と、を有して構成する映像配信システムであって、
前記映像処理装置は、
前記撮像装置で作成された映像コンテンツをIPTV規格の映像コンテンツに変換し、該変換したIPTV規格の映像コンテンツを前記配信サーバに登録する制御手段を有し、
前記配信サーバは、
前記映像処理装置から登録された映像コンテンツを前記映像機器に配信する制御手段を有することを特徴とする映像配信システム。
【請求項３】
映像コンテンツの配信サービスを管理するポータルサーバと、通信装置と、を更に有し、
前記通信装置は、
前記配信サーバに登録された映像コンテンツを遠隔制御するための制御情報を前記ポータルサーバに送信する制御手段を有し、
前記ポータルサーバは、
前記制御情報を、前記映像機器が前記映像コンテンツを制御する際に使用する制御信号に変換し、該変換した制御信号を前記配信サーバに送信する制御手段を有し、
前記配信サーバは、
前記制御信号を基に、前記映像機器に配信する映像コンテンツを制御する手段を有することを特徴とする請求項２記載の映像配信システム。
【請求項４】
前記ポータルサーバは、
前記制御情報を、映像コンテンツを切り替えるための制御信号に変換し、該変換した制御信号を前記配信サーバに送信する手段を有し、
前記配信サーバは、
前記制御信号を基に、前記映像機器に配信する映像コンテンツの切り替え制御を行うことを特徴とする請求項３記載の映像配信システム。
【請求項５】
前記ポータルサーバは、
前記制御情報と前記制御信号とを関係付けて管理する変換手段を有し、
前記制御情報を受け付けた場合に、前記変換手段を参照し、前記制御情報に関係付けられた制御信号に変換し、該変換した制御信号を前記配信サーバに送信することを特徴とする請求項３または４記載の映像配信システム。
【請求項６】
前記配信サーバは、
映像コンテンツと、当該映像コンテンツを特定するためのコンテンツIDと、を関係付けて管理するコンテンツ管理手段を有し、
前記ポータルサーバは、
コンテンツIDと、映像機器を特定するための映像機器IDと、を関係付けて管理する管理手段を有し、
前記ポータルサーバは、
映像コンテンツの視聴要求を受け付けた場合に、前記管理手段を参照し、視聴要求を受け付けた映像コンテンツのコンテンツIDに関係付けられた映像機器IDを特定し、該特定した映像機器IDと、前記コンテンツIDと、を前記配信サーバに送信し、
前記配信サーバは、
前記コンテンツIDと、前記映像機器IDと、を受け付けた場合に、前記コンテンツ管理手段を参照し、前記コンテンツIDに関係付けられた映像コンテンツを特定し、該特定した映像コンテンツを、前記映像機器IDの映像機器に配信することを特徴とする請求項３から５の何れか１項に記載の映像配信システム。
【請求項７】
前記管理手段は、
通信装置を特定するための通信装置IDと、前記コンテンツIDと、前記映像機器IDと、を関係付けて管理し、
前記ポータルサーバは、
映像コンテンツの視聴要求を受け付けた場合に、前記管理手段を参照し、視聴要求を受け付けた映像コンテンツのコンテンツIDに関係付けられた通信装置IDと、映像機器IDと、を特定し、該特定した通信装置IDと、映像機器IDと、前記コンテンツIDと、を対応付けて管理し、前記通信装置ID、前記映像機器IDと、前記コンテンツIDと、を基に、映像コンテンツを制御することが可能な通信装置を管理することを特徴とする請求項６記載の映像配信システム。
【請求項８】
前記通信装置は、
前記制御情報と共に、通信装置IDをポータルサーバに送信し、
前記ポータルサーバは、
前記制御情報と、前記通信装置IDと、を受け付けた場合に、その受け付けた通信装置IDを前記ポータルサーバが管理している場合に、映像コンテンツを制御することが可能な通信装置と判断し、前記制御情報を、前記制御信号に変換し、該変換した制御信号を前記配信サーバに送信することを特徴とする請求項７記載の映像配信システム。
【請求項９】
前記ポータルサーバは、
前記制御信号と共に、コンテンツIDを前記配信サーバに送信し、
前記配信サーバは、
前記制御信号と、前記コンテンツIDと、を受け付けた場合に、その受け付けた制御信号が、映像コンテンツを切り替えるための制御信号の場合には、前記制御信号と、前記コンテンツIDと、を基に、切り替え先の映像コンテンツを特定し、前記映像機器に配信する映像コンテンツの切り替え制御を行うことを特徴とする請求項８記載の映像配信システム。
【請求項１０】
前記通信装置は、
前記制御情報をDTMF信号で前記ポータルサーバに送信することを特徴とする請求項３から９の何れか１項に記載の映像配信システム。
【請求項１１】
映像処理装置で行う映像配信方法であって、
撮像装置で作成された映像コンテンツをIPTV規格の映像コンテンツに変換し、該変換したIPTV規格の映像コンテンツを配信サーバに登録する工程を有することを特徴とする映像配信方法。
【請求項１２】
IPTV規格の映像機器と、前記映像機器にIPTV規格の映像コンテンツを配信する配信サーバと、撮像装置と、映像処理装置と、を有して構成する映像配信システムで行う映像配信方法であって、
前記映像処理装置は、
前記撮像装置で作成された映像コンテンツをIPTV規格の映像コンテンツに変換し、該変換したIPTV規格の映像コンテンツを前記配信サーバに登録する工程を有し、
前記配信サーバは、
前記映像処理装置から登録された映像コンテンツを前記映像機器に配信する工程を有することを特徴とする映像配信方法。
【請求項１３】
映像処理装置に実行させる映像配信プログラムであって、
撮像装置で作成された映像コンテンツをIPTV規格の映像コンテンツに変換し、該変換したIPTV規格の映像コンテンツを配信サーバに登録する処理を前記映像処理装置に実行させることを特徴とする映像配信プログラム。
【発明の詳細な説明】
【技術分野】
【０００１】
本発明は、映像処理装置、映像配信システム、映像配信方法及び映像配信プログラムに関するものである。
【背景技術】
【０００２】
近年、IP（Internet Protocol）ネットワークを利用し、リアルタイム放送や映画などの映像コンテンツを映像機器で視聴することが可能なIPTV（Internet Protocol TeleVision）がある（例えば、特許文献１参照）。
【０００３】
一般的なIPTVでは、各ユーザが映像機器専用のリモコンを操作し、コンテンツ配信サーバで管理している映像コンテンツを映像機器に配信して視聴する仕組となっている。
【０００４】
しかし、現状のIPTVでは、映像コンテンツのフォーマット形式が規定されており、コンテンツ配信サーバで管理する映像コンテンツがIPTV規格のフォーマット形式でなければ、IPTV規格の映像機器で視聴することができない仕組となっている。
【０００５】
このため、各ユーザが撮像装置で撮像した映像コンテンツがIPTV規格のフォーマット形式でなければ、その映像コンテンツをコンテンツ配信サーバに登録しても、IPTV規格の映像機器で視聴することができないことになる。
【０００６】
このようなことから、各ユーザが撮像装置で撮像した映像コンテンツをIPTV規格の映像機器で視聴することが可能な仕組の開発が必要視されることになる。
【０００７】
なお、本発明より先に出願された技術文献として、異なる圧縮符号化フォーマットの併用を許容する技術について開示された文献がある（例えば、特許文献２参照）。
【０００８】
上記特許文献２では、ソースからエンコーダを介して入力された信号を、リアルタイム配信に適した符号化圧縮フォーマットのデータとして１のビデオオンデマンドサーバに保存する。また、異なる符号化圧縮フォーマットのデータに変換し、その変換したデータを別のビデオオンデマンドサーバに保存することにしている。
【特許文献１】特開２００８−２０５７８１号公報
【特許文献２】特開２００８−１９９１２２号公報
【発明の開示】
【発明が解決しようとする課題】
【０００９】
しかし、上記特許文献１、２には、各ユーザが撮像装置で撮像した映像コンテンツをIPTV規格のフォーマット形式に変換する点については何ら記載もその必要性も示唆されていない。
【００１０】
本発明は上記事情に鑑みてなされたものであり、上述した課題である、各ユーザが撮像装置で撮像した映像コンテンツをIPTV規格の映像機器で視聴することが可能な映像処理装置、映像配信システム、映像配信方法及び映像配信プログラムを提供することを目的とする。
【課題を解決するための手段】
【００１１】
かかる目的を達成するために、本発明は、以下の特徴を有することとする。
【００１２】
＜映像処理装置＞
本発明にかかる映像処理装置は、
撮像装置で作成された映像コンテンツをIPTV規格の映像コンテンツに変換し、該変換したIPTV規格の映像コンテンツを配信サーバに登録することを特徴とする。
【００１３】
＜映像配信システム＞
また、本発明にかかる映像配信システムは、
IPTV規格の映像機器と、前記映像機器にIPTV規格の映像コンテンツを配信する配信サーバと、撮像装置と、映像処理装置と、を有して構成する映像配信システムであって、
前記映像処理装置は、
前記撮像装置で作成された映像コンテンツをIPTV規格の映像コンテンツに変換し、該変換したIPTV規格の映像コンテンツを前記配信サーバに登録する制御手段を有し、
前記配信サーバは、
前記映像処理装置から登録された映像コンテンツを前記映像機器に配信する制御手段を有することを特徴とする。
【００１４】
＜映像配信方法＞
また、本発明にかかる映像配信方法は、
映像処理装置で行う映像配信方法であって、
撮像装置で作成された映像コンテンツをIPTV規格の映像コンテンツに変換し、該変換したIPTV規格の映像コンテンツを配信サーバに登録する工程を有することを特徴とする。
【００１５】
また、本発明にかかる映像配信方法は、
IPTV規格の映像機器と、前記映像機器にIPTV規格の映像コンテンツを配信する配信サーバと、撮像装置と、映像処理装置と、を有して構成する映像配信システムで行う映像配信方法であって、
前記映像処理装置は、
前記撮像装置で作成された映像コンテンツをIPTV規格の映像コンテンツに変換し、該変換したIPTV規格の映像コンテンツを前記配信サーバに登録する工程を有し、
前記配信サーバは、
前記映像処理装置から登録された映像コンテンツを前記映像機器に配信する工程を有することを特徴とする。
【００１６】
＜映像配信プログラム＞
また、本発明にかかる映像配信プログラムは、
映像処理装置に実行させる映像配信プログラムであって、
撮像装置で作成された映像コンテンツをIPTV規格の映像コンテンツに変換し、該変換したIPTV規格の映像コンテンツを配信サーバに登録する処理を前記映像処理装置に実行させることを特徴とする。
【発明の効果】
【００１７】
本発明によれば、各ユーザが撮像装置で撮像した映像コンテンツをIPTV規格の映像機器で視聴することが可能となる。
【発明を実施するための最良の形態】
【００１８】
＜本実施形態の映像配信システムの概要＞
まず、図１を参照しながら、本実施形態の映像配信システムの概要について説明する。
【００１９】
本実施形態における映像配信システムは、IPTV規格の映像機器600と、映像機器600にIPTV規格の映像コンテンツを配信するコンテンツ配信サーバ400と、撮像装置100と、映像処理装置200と、を有して構成する映像配信システムである。
【００２０】
そして、本実施形態の映像処理装置200は、撮像装置100で作成された映像コンテンツをIPTV規格の映像コンテンツに変換し、該変換したIPTV規格の映像コンテンツをコンテンツ配信サーバ400に登録する。そして、コンテンツ配信サーバ400は、映像処理装置200から登録された映像コンテンツを映像機器600に配信する。
【００２１】
これにより、各ユーザが撮像装置100で撮像した映像コンテンツをIPTV規格の映像機器600で視聴することが可能となる。以下、添付図面を参照しながら、本実施形態の映像配信システムについて詳細に説明する。
【００２２】
（第１の実施形態）
＜映像配信システムのシステム構成＞
まず、図１を参照しながら、本実施形態の映像配信システムのシステム構成について説明する。
【００２３】
本実施形態の映像配信システムは、撮像装置100と、映像処理装置200と、アップロードサーバ300と、ストレージ301と、コンテンツ配信サーバ400と、ポータルサーバ500と、映像機器600と、を有して構成する。なお、本実施形態のネットワークNWは、各装置間で情報通信が可能であれば、通信形態は、特に限定するものではなく、有線、無線を問わずあらゆる通信形態が適用可能である。
【００２４】
撮像装置100は、各ユーザが映像を撮像し、映像コンテンツを作成する装置である。撮像装置100としては、カムコーダ等の撮像装置が挙げられる。
【００２５】
映像処理装置200は、HD（High Definition）映像のデータ処理を行う装置である。本実施形態の映像処理装置200は、映像サービスに必要な各種ソフトウェアを搭載し、撮像装置100で作成した映像コンテンツをIPTV規格の映像フォーマット形式に変換する。
【００２６】
アップロードサーバ300は、映像処理装置200からアップロードされた映像コンテンツをストレージ301に登録すると共に、その映像コンテンツをコンテンツ配信サーバ400に登録する装置である。
【００２７】
ストレージ301は、映像コンテンツを格納する。
【００２８】
コンテンツ配信サーバ400は、映像機器600に配信する映像コンテンツを管理する装置である。本実施形態のコンテンツ配信サーバ400は、アップロードサーバ300から送信された映像コンテンツを管理し、その映像コンテンツを映像機器600に配信する。本実施形態のコンテンツ配信サーバ400で管理する映像コンテンツは、IPTV規格の映像コンテンツを管理することになる。
【００２９】
ポータルサーバ500は、映像コンテンツの配信サービスを管理する装置である。
【００３０】
映像機器600は、映像コンテンツを視聴するための装置であり、IPTV機能を搭載した装置である。なお、映像機器600は、映像機器600専用のリモコン操作を基に、コンテンツ配信サーバ500からIPTV規格の映像コンテンツを取得し、その取得した映像コンテンツを映像機器600の表示部上に表示して視聴することになる。IPTV機能としては、IPSP仕様、アクトビラ仕様等が挙げられる。
【００３１】
＜映像配信システムの処理動作＞
次に、図２を参照しながら、本実施形態の映像配信システムの処理動作について説明する。図２は、映像配信システムにおける一連の処理動作例を示す図である。
【００３２】
まず、撮像装置100は、映像を撮像し、映像コンテンツを作成する。撮像装置100で作成された映像コンテンツのフォーマット形式は、MP4（H.264MP/MPEG-4ACC）とする。撮像装置100は、撮像装置100で作成した映像コンテンツを映像処理装置200に送信する（ステップS1）。映像コンテンツの送信方法としては、例えば、撮像装置100と映像処理装置200とをUSB等で接続し、撮像装置100で作成した映像コンテンツを映像処理装置200に送信する。
【００３３】
映像処理装置200は、撮像装置100から受け付けた映像コンテンツを、IPTV規格のフォーマット形式に変換する（ステップS2）。この場合、映像処理装置200は、MPEG4をMPEG2に変換し、MP4をTTSに変換する。これにより、映像処理装置200は、映像コンテンツのフォーマット形式をTTS（H.264MP/MPEG-2ACC）に変換することになる。
【００３４】
次に、映像処理装置200は、映像コンテンツのアップロード要求をポータルサーバ500に送信する（ステップS3）。なお、映像処理装置200は、アップロード要求の際に、ユーザ情報をポータルサーバ500に送信する。ユーザ情報は、映像コンテンツの配信サービスが可能なユーザを特定するための情報である。
【００３５】
ポータルサーバ500は、アップロード要求を受け付けた場合に、ユーザ情報を基に認証処理を行う（ステップS4）。認証処理の方法としては、映像処理装置200から受け付けたユーザ情報がポータルサーバ500に登録されている場合には、認証OKと判定し、登録されていない場合には認証NGと判定する。
【００３６】
ポータルサーバ500は、認証OKと判定した場合に、映像コンテンツのアップロード応答を映像処理装置200に送信する（ステップS5）。
【００３７】
映像処理装置200は、認証OKのアップロード応答を受け付けた場合に、映像コンテンツをアップロードサーバ300に送信する（ステップS6）。
【００３８】
アップロードサーバ300は、映像コンテンツを受け付けた場合に、その映像コンテンツをストレージ301に登録し（ステップS7）、映像コンテンツの登録通知をコンテンツ配信サーバ400に送信する（ステップS8）。映像コンテンツの登録通知としては、ストレージ301に登録した映像コンテンツを通知する。
【００３９】
コンテンツ配信サーバ400は、映像コンテンツの登録通知を受け付けた場合に、その登録通知を受け付けた映像コンテンツをコンテンツ配信サーバ400で管理すると共に、映像コンテンツの一覧リストを作成する。
【００４０】
具体的には、コンテンツ配信サーバ400は、図３に示すように、『コンテンツID』と、『映像コンテンツ』と、を対応付けて管理する。また、コンテンツ配信サーバ400は、図４に示すように、『コンテンツID』の一覧リストを作成し、管理する。図３は、映像コンテンツを管理するコンテンツ管理テーブルを示し、図４は、コンテンツの一覧リストを管理するリスト管理テーブルを示す。これにより、コンテンツ配信サーバ400は、IPTV規格のフォーマット形式の映像コンテンツを管理することが可能となる。
【００４１】
次に、ユーザは、映像コンテンツを視聴する際に、映像機器600専用のリモコンを操作し、映像コンテンツの閲覧操作を行う。映像機器600は、閲覧操作が行われた場合に、映像コンテンツのリスト要求をポータルサーバ500に送信する（ステップS10）。映像機器600は、映像コンテンツのリスト要求の際に、ユーザ情報をポータルサーバ500に送信する。
【００４２】
ポータルサーバ500は、映像コンテンツのリスト要求を受け付けた場合に、ユーザ情報を基に認証処理を行う（ステップS11）。認証処理の方法としては、映像機器600から受け付けたユーザ情報がポータルサーバ500に登録されている場合には、認証OKと判定し、登録されていない場合には認証NGと判定する。
【００４３】
ポータルサーバ500は、認証OKと判定した場合に、映像コンテンツの一覧リストをコンテンツ配信サーバ400から取得し（ステップS12）、その取得した映像コンテンツの一覧リストを映像機器600に送信する（ステップS13）。
【００４４】
映像機器600は、ポータルサーバ500から取得した映像コンテンツの一覧リストを映像機器600の表示部上に表示する。ユーザは、映像機器600専用のリモコンを操作し、映像コンテンツの一覧リストの中から視聴する映像コンテンツを選択する（ステップS14）。
【００４５】
映像機器600は、映像コンテンツの選択操作が行われた場合に、映像コンテンツの取得要求をポータルサーバ500に送信する（ステップS15）。映像機器600は、映像コンテンツのリスト要求の際に、選択操作が行われたコンテンツIDをポータルサーバ500に送信する。
【００４６】
ポータルサーバ500は、映像コンテンツの取得要求を受け付けた場合に、該当する映像コンテンツの配信要求をコンテンツ配信サーバ400に送信する（ステップS16）。ポータルサーバ500は、映像コンテンツの配信要求の際に、該当するコンテンツIDをコンテンツ配信サーバ400に送信する。
【００４７】
コンテンツ配信サーバ400は、コンテンツの配信要求を受け付けた場合に、該当する映像コンテンツを映像機器600に送信する（ステップS17）。具体的には、コンテンツ配信サーバ400は、図３に示す管理テーブルを参照し、コンテンツの配信要求と共に受け付けたコンテンツIDに対応する映像コンテンツを特定し、その特定した映像コンテンツを映像機器600に配信する。
【００４８】
＜本実施形態の映像配信システムの作用・効果＞
このように、本実施形態の映像配信システムは、IPTV規格の映像機器600と、映像機器600にIPTV規格の映像コンテンツを配信するコンテンツ配信サーバ400と、撮像装置100と、映像処理装置200と、を有して構成する。そして、映像処理装置200は、撮像装置100で作成された映像コンテンツをIPTV規格の映像コンテンツに変換し、該変換したIPTV規格の映像コンテンツをコンテンツ配信サーバ400に登録する。コンテンツ配信サーバ400は、映像処理装置200から登録された映像コンテンツを映像機器600に配信する。
【００４９】
これにより、本実施形態の映像配信システムは、各ユーザが撮像装置100で撮像した映像コンテンツをIPTV規格の映像機器600で手軽に視聴することが可能となる。
【００５０】
また、本実施形態の映像配信システムは、各ユーザが撮像装置100で撮像した映像コンテンツを映像処理装置200でIPTV規格の映像コンテンツに変換する。このため、撮像装置100、コンテンツ配信サーバ400、映像機器600の機能を改良したり、特別な機器を設置したりすることなく、IPTV規格の映像コンテンツを映像機器600で視聴することが可能となる。
【００５１】
なお、上述した図２に示す映像配信システムの処理動作では、ポータルサーバ500が認証OKと判定した場合に、映像コンテンツの一覧リストをコンテンツ配信サーバ400から取得し（ステップS12）、その取得した映像コンテンツのリストを映像機器600に送信することにした（ステップS13）。
【００５２】
しかし、図５に示すように、ポータルサーバ500が映像コンテンツの一覧リストを予め管理し、その管理した映像コンテンツのリストを映像機器600に送信するように構築することも可能である（ステップS'9〜S13）。図５では、コンテンツ配信サーバ400が映像コンテンツの一覧リストを作成した際に（ステップS9）、その映像コンテンツの一覧リストをポータルサーバ500に送信することにしている（ステップS'9）。これにより、ポータルサーバ500は、映像コンテンツの一覧リストをポータルサーバ500側で管理することが可能となる。
【００５３】
（第２の実施形態）
次に、第２の実施形態について説明する。
【００５４】
第１の実施形態では、映像機器600専用のリモコンを操作し、コンテンツ配信サーバ400で管理する映像コンテンツを映像機器600で視聴することにした。
【００５５】
第２の実施形態では、携帯電話機等の通信装置700を操作し、コンテンツ配信サーバ400で管理する映像コンテンツを映像機器600で視聴する。これにより、映像機器600を操作することなく、通信装置700を用いて通話を確立しながら、その通信装置700を操作して映像コンテンツを映像機器600で視聴することが可能となる。以下、図６〜図１２を参照しながら、第２の実施形態について説明する。
【００５６】
＜映像配信システムのシステム構成＞
まず、図６を参照しながら、本実施形態の映像配信システムのシステム構成について説明する。
【００５７】
本実施形態の遠隔制御システムは、通信装置700を新たに有して構成している。
【００５８】
通信装置700は、情報通信を行う装置であり、携帯電話機等の通信装置が適用可能である。
【００５９】
＜映像配信システムの処理動作＞
次に、図７を参照しながら、本実施形態の映像配信システムにおける一連の処理動作について説明する。なお、図７は、映像配信システムにおける一連の処理動作例を示す図である。
【００６０】
なお、以下の説明では、ユーザAが映像機器600−A、通信装置700−Aを利用し、ユーザBが映像機器600−B、通信装置700−Bを利用し、ユーザCが映像機器600−C、通信装置700−Cを利用する場合を例として説明する。
【００６１】
また、ポータルサーバ500は、図８に示すユーザ情報管理テーブルを有して構成する。図８に示すユーザ情報管理テーブルは、映像コンテンツの配信サービスが可能なユーザの情報を管理するためのテーブルであり、図８に示すように、『ユーザ情報』、『通信装置ID』、『映像機器ID』を関係付けて管理している。
【００６２】
図８に示す『ユーザ情報』は、ユーザを一意に特定するための情報であり、電話番号、メールアドレス、SIP URL等の情報が適用可能である。『通信装置ID』は、ユーザが使用する通信装置700を一意に特定するための情報である。『映像機器ID』は、ユーザが映像コンテンツを視聴する映像機器600を一意に特定するための情報である。
【００６３】
＜図７に示す処理動作＞
まず、ユーザAの通信装置700−Aは、ポータルサーバ500にアクセスし、認証処理を行い、映像コンテンツの一覧リストを通信装置700−Aの表示部に表示する（ステップA1）。
【００６４】
次に、通信装置700−Aは、表示部に表示した映像コンテンツの一覧リストを基に、ユーザが視聴したいコンテンツID（例えば、コンテンツIDA）を選択する。また、通信装置700−Aは、映像コンテンツ（コンテンツIDA）を視聴するユーザを特定するためのユーザ情報（例えば、ユーザA、B、C）を選択する。
【００６５】
次に、通信装置700−Aは、上記処理で選択したコンテンツID（コンテンツIDA）と、ユーザ情報（ユーザA、B、C）と、をポータルサーバ500に登録する（ステップA2）。これにより、通信装置700−Aは、ユーザA、B、Cが共有して視聴する映像コンテンツを特定するためのコンテンツID（コンテンツIDA）をポータルサーバ500に登録することが可能となる。
【００６６】
ポータルサーバ500は、通信装置700−Aから登録されたユーザ情報（ユーザA、B、C）を基に、図８に示すユーザ情報管理テーブルを参照し、ユーザ情報（ユーザA、B、C）に関係付けられた通信装置ID（通信装置A、B、C）、映像機器ID（映像機器A、B、C）を特定する。そして、ポータルサーバ500は、図９に示すように、コンテンツID（コンテンツIDA）、ユーザ情報（ユーザA、B、C）、通信装置ID（通信装置A、B、C）、映像機器ID（映像機器A、B、C）を関係付けて管理する（ステップA3）。
【００６７】
これにより、ポータルサーバ500は、映像コンテンツ（コンテンツIDA）を一緒に視聴するユーザ情報（ユーザA、B、C）を管理することが可能となる。また、ポータルサーバ500は、映像コンテンツ（コンテンツIDA）を映像する映像機器（映像機器A、B、C）を管理することが可能となる。また、ポータルサーバ500は、映像コンテンツ（コンテンツIDA）を遠隔制御することが可能な通信装置（通信装置A、B、C）を管理することが可能となる。
【００６８】
次に、通信装置700−Aは、映像コンテンツの視聴要求をポータルサーバ500に送信する（ステップA4）。なお、映像コンテンツの視聴要求の際には、コンテンツID（コンテンツIDA）、ユーザ情報（ユーザA）をポータルサーバ500に送信することになる。
【００６９】
ポータルサーバ500は、映像コンテンツの視聴要求を受け付けた場合に、その視聴要求と共に受け付けたコンテンツID（コンテンツIDA）と、ユーザ情報（ユーザA）と、を基に、図９に示す管理テーブルを参照し、映像コンテンツ（コンテンツIDA）を配信する映像機器（映像機器A、B、C）を特定する。また、ポータルサーバ500は、映像コンテンツ（コンテンツIDA）を遠隔制御することが可能な通信装置（通信装置A、B、C）を特定する。そして、ポータルサーバ500は、映像コンテンツの配信要求（コンテンツID、映像機器ID）をコンテンツ配信サーバ400に送信する（ステップA5）。
【００７０】
なお、図９では、コンテンツIDAと、ユーザAと、が関係付けられているため、ポータルサーバ500は、映像コンテンツの視聴要求（コンテンツIDA、ユーザA）を受け付けた場合に、認証OKと判断し、そのコンテンツIDAに関係付けられた通信装置ID（通信装置A、B、C）と、映像機器ID（映像機器A、B、C）と、を特定することになる。
【００７１】
次に、ポータルサーバ500は、図１０に示すように、コンテンツID（コンテンツIDA）、映像機器ID（映像機器A、B、C）、通信装置ID（通信装置A、B、C）を関係付けて管理する（ステップA6）。これにより、ポータルサーバ500は、映像コンテンツを遠隔制御する映像機器（映像機器A、B、C）を管理することが可能となる。また、ポータルサーバ500は、映像コンテンツを遠隔制御することが可能な通信装置（通信装置A、B、C）を管理することが可能となる。
【００７２】
コンテンツ配信サーバ400は、映像コンテンツの配信要求（コンテンツID、映像機器ID）をポータルサーバ500から受け付けた場合に、図１１に示すように、コンテンツID（コンテンツIDA）、映像機器ID（映像機器A、B、C）を関係付けて管理する。これにより、コンテンツ配信サーバ400は、映像コンテンツを配信する映像機器（映像機器A、B、C）を管理することが可能となる。次に、コンテンツ配信サーバ400は、図３に示すコンテンツ管理テーブルを参照し、コンテンツID（コンテンツIDA）に関係付けられた映像コンテンツ（コンテンツA）を特定し、その特定した映像コンテンツ（コンテンツA）を、映像機器（400−A、B、C）に配信する（ステップA7）。
【００７３】
これにより、本実施形態における映像配信システムは、一人のユーザAの制御により、複数のユーザA、B、Cが同一の映像コンテンツ（コンテンツA）を共有して視聴することが可能となる。また、本実施形態における映像配信システムは、コンテンツ配信サーバ400の機能を大幅に改良することなく、通信装置700を利用して一人のユーザAの制御により複数のユーザA、B、Cが同一の映像コンテンツを共有して視聴することが可能となる。また、映像機器600に改良を加えることなく、通信装置700を利用して一人のユーザAの制御により複数のユーザA、B、Cが同一の映像コンテンツを共有して視聴することが可能となる。
【００７４】
次に、ユーザAの通信装置700−Aは、映像機器600−A、B、Cで視聴する映像コンテンツ（コンテンツA）を遠隔制御するための遠隔制御信号（制御情報、通信装置ID）をポータルサーバ500に送信する（ステップA8）。なお、遠隔制御信号は、DTMF（Dual-Tone Multi-Frequency）を用いて送信する。制御情報は、映像コンテンツを制御する命令を特定するための情報であり、DTMF信号を用いることにする。これにより、ユーザAは、通信装置700−Aを用いてユーザB、Cと通話を確立しながら、その通信装置700−Aの操作ボタン（プッシュボタン）を用いて映像コンテンツを遠隔制御することが可能となる。
【００７５】
ポータルサーバ500は、遠隔制御信号を受け付けた場合に、その遠隔制御信号に含まれる通信装置ID（通信装置A）を基に、図１０に示す管理テーブルを参照し、通信装置ID（通信装置A）に関係付けられたコンテンツID（コンテンツIDA）、映像機器ID（映像機器A、B、C）を特定する。また、ポータルサーバ500は、遠隔制御信号に含まれる制御情報を、既存の制御信号に変換する。
【００７６】
なお、既存の制御信号とは、映像機器600専用のリモコン操作でコンテンツ配信サーバ400を制御することが可能な制御信号のことであり、例えば、再生、停止、一時停止、早送り、巻き戻し等のトリックプレイ制御が可能な制御信号が挙げられる。
【００７７】
遠隔制御信号に含まれる制御情報を既存の制御信号に変換する変換方法としては、例えば、ポータルサーバ500が、図１２に示す変換テーブルを管理し、遠隔制御信号を受け付けた場合に、図１２に示す変換テーブルを参照し、遠隔制御信号に含まれる制御情報に関係付けられた既存の制御信号に変換する方法が挙げられる。図１２に示す変換テーブルは、DTMF信号の制御情報を既存の制御信号に変換するための例を示している。また、他の変換方法としては、アルゴリズムを用いて制御情報を既存の制御信号に変換する方法が挙げられる。
【００７８】
次に、ポータルサーバ500は、上記処理により特定したコンテンツID（コンテンツIDA）、映像機器ID（映像機器A、B、C）と、上記処理により変換した制御信号と、を基に、遠隔制御命令（制御信号、コンテンツID、映像機器ID）をコンテンツ配信サーバ400に送信する（ステップA9）。
【００７９】
コンテンツ配信サーバ400は、遠隔制御命令を受け付けた場合に、その遠隔制御命令に含まれるコンテンツID（コンテンツIDA）、映像機器ID（映像機器A、B、C）を基に、映像コンテンツを制御する映像機器（映像機器A、B、C）を特定する。そして、コンテンツ配信サーバ400は、遠隔制御命令に含まれる制御信号を基に、上記特定した映像機器（映像機器A、B、C）に配信している映像コンテンツを制御する（ステップA10）。
【００８０】
これにより、ポータルサーバ500は、通信装置700から受け付けた遠隔制御信号を基に、コンテンツ配信サーバ400が複数の映像機器600−A、B、Cに配信している映像コンテンツを遠隔制御することが可能となる。
【００８１】
また、ポータルサーバ500は、通信装置700から受け付けた遠隔制御信号を既存の制御信号に変換し、その既存の制御信号を基に、映像コンテンツを遠隔制御することになるため、コンテンツ配信サーバ400の機能を大幅に改良することなく、通信装置700を利用して映像コンテンツを遠隔制御することが可能となる。また、映像機器600に改良を加えることなく、通信装置700を利用して映像コンテンツを遠隔制御することが可能となる。なお、ユーザAは、通信装置700−Aを用いて、ステップA8〜ステップA10の処理を繰り返すことで、映像機器600−A、B、Cに配信している映像コンテンツを遠隔制御することになる。
【００８２】
＜本実施形態の映像配信システムの作用・効果＞
このように、本実施形態における映像配信システムは、通信装置700を利用し、同一の映像コンテンツを複数の映像機器600−A、B、Cに配信し、複数のユーザで共通の映像コンテンツの同期を取りながら視聴することが可能となる。また、通信装置700を利用し、複数の映像機器600−A、B、Cに配信した映像コンテンツのトリックプレイ制御を行うことが可能となる。
【００８３】
なお、上記実施形態では、ポータルサーバ500は、図１０に示すように、複数の通信装置ID（通信装置A、B、C）を関係付けて管理することにしたが、コンテンツの視聴登録／視聴要求を行った通信装置Aだけをポータルサーバ500で管理するように構築することも可能である。これにより、コンテンツの視聴登録／視聴要求を行った通信装置Aだけが映像コンテンツの遠隔操作（トリックプレイ制御）を行うように構築することが可能となる。
【００８４】
（第３の実施形態）
次に、第３の実施形態について説明する。
【００８５】
第２の実施形態における映像配信システムは、通信装置700を利用し、映像コンテンツのトリックプレイ制御を行うことにした。
【００８６】
第３の実施形態における映像配信システムは、通信装置700を利用し、映像コンテンツの切替制御を行うことを特徴とする。これにより、ユーザは、通信装置700を利用し、映像コンテンツを切り替えて視聴することが可能となる。以下、図１３〜図１６を参照しながら、第３の実施形態について説明する。
【００８７】
第３の実施形態における映像配信システムは、第２の実施形態と同様なシステム構成を構築し、各装置で管理する情報を異ならせることで、映像コンテンツの切替制御を行うことになる。
【００８８】
例えば、映像コンテンツの切替制御を行うためには、図３に示すコンテンツ管理テーブルで管理する１つの映像コンテンツ（例えば、映像コンテンツA）が、図１３に示すように、複数の映像コンテンツ（映像コンテンツA1、A2、A3）を含んで構成することになる。このため、映像コンテンツを特定するためのコンテンツIDを図１４に示すように木構造で管理することになる。図１４では、親となるコンテンツIDAに対して子となる複数のコンテンツID（コンテンツIDA1、IDA2、IDA3）を関係付けて管理することになる。図１３、図１４では、親となるコンテンツIDAは、コンテンツAと関係付けて管理しており、子となるコンテンツIDA1、IDA2、IDA3は、コンテンツA1、A2、A3と関係付けて管理している。
【００８９】
＜映像配信システムの処理動作＞
次に、図１５を参照しながら、本実施形態の映像配信システムにおける一連の処理動作について説明する。なお、図１５は、映像配信システムにおける一連の処理動作例を示す図である。
【００９０】
図１５に示す処理動作において、複数の映像機器600−A、B、Cに映像コンテンツを配信するまでの処理（ステップA1〜ステップA7までの処理）は、第２の実施形態と同様に行うことになる。これにより、一人のユーザAの制御により、複数のユーザA、B、Cが同一の映像コンテンツ（コンテンツA）を共有して視聴することが可能となる。
【００９１】
次に、ユーザAの通信装置700−Aは、映像機器600−A、B、Cで視聴する映像コンテンツ（コンテンツA）の映像シーンを切り替えるための遠隔制御信号（制御情報、通信装置ID）をポータルサーバ500に送信する（ステップA'8）。なお、遠隔制御信号は、DTMF（Dual-Tone Multi-Frequency）を用いて送信する。なお、制御情報は、切り替え先となる映像コンテンツを特定するための情報であり、DTMF信号を用いることにする。これにより、ユーザAは、通信装置700−Aを用いてユーザB、Cと通話を確立しながら、その通信装置700−Aの操作ボタン（プッシュボタン）を用いて映像コンテンツを切り替えることが可能となる。
【００９２】
ポータルサーバ500は、遠隔制御信号を受け付けた場合に、その遠隔制御信号に含まれる通信装置ID（通信装置A）を基に、図１０に示す管理テーブルを参照し、通信装置ID（通信装置A）に関係付けられたコンテンツID（コンテンツIDA）、映像機器ID（映像機器A、B、C）を特定する。また、ポータルサーバ500は、遠隔制御信号に含まれる制御情報を、切り替え先となる映像コンテンツを特定するためのコンテンツID（例えば、コンテンツID＊1）に変換する。
【００９３】
遠隔制御信号に含まれる制御情報を、コンテンツIDに変換する変換方法としては、例えば、ポータルサーバ500が、図１６に示す変換テーブルを管理し、遠隔制御信号を受け付けた場合に、図１６に示す変換テーブルを参照し、遠隔制御信号に含まれる制御情報に関係付けられたコンテンツIDに変換する方法が挙げられる。図１６に示す変換テーブルは、DTMF信号の制御情報を、既存の制御信号、または、コンテンツIDに変換するための例を示している。なお、図１６に示す『コンテンツID*１』の『*』は、任意のコンテンツIDを示し、本処理では、上記処理で特定したコンテンツIDAの『A』となる。即ち、コンテンツIDA1に切り替えるための制御信号を意味することになる。また、他の変換方法としては、アルゴリズムを用いて制御情報をコンテンツIDに変換する方法が挙げられる。
【００９４】
次に、ポータルサーバ500は、上記処理により特定したコンテンツID（コンテンツIDA）、映像機器ID（映像機器A、B、C）と、上記処理により変換したコンテンツID（コンテンツID*1）と、を基に、遠隔制御命令（コンテンツID*１、コンテンツIDA、映像機器ID）をコンテンツ配信サーバ400に送信する（ステップA'9）。
【００９５】
コンテンツ配信サーバ400は、遠隔制御命令を受け付けた場合に、その遠隔制御命令に含まれるコンテンツID（コンテンツIDA）、映像機器ID（映像機器A、B、C）を基に、映像コンテンツを制御する映像機器（映像機器A、B、C）を特定する。そして、コンテンツ配信サーバ400は、切替制御命令に含まれるコンテンツID（コンテンツIDA）、コンテンツID*1を基に、切り替え先となるコンテンツID（コンテンツIDA1）を特定し、その特定したコンテンツID（コンテンツIDA１）を基に、映像機器（映像機器A、B、C）に配信している映像コンテンツAを映像コンテンツA1に切替制御する（ステップA'10）。
【００９６】
これにより、ポータルサーバ500は、通信装置700から受け付けた遠隔制御信号を基に、コンテンツ配信サーバ400が複数の映像機器600−A、B、Cに配信している映像コンテンツを切り替えることが可能となる。
【００９７】
例えば、図１３に示す子となる映像コンテンツA1、A2、A3として、『商品の正面図』、『商品の横面図』、『商品の上面図』等の映像コンテンツを管理する。そして、通信装置700を利用して、映像機器600で視聴する映像コンテンツA1、A2、A3の切替制御を行うことで、商品の詳細をユーザに視聴させることが可能となる。なお、映像コンテンツとしては、上述した商品等の映像コンテンツを配信するショッピング番組の映像コンテンツに限定するものではなく、スポーツ、ドラマ、バラエティ、音楽、天気予報、料理等の番組の映像コンテンツも適用可能である。
【００９８】
このように、本実施形態における映像配信システムは、通信装置700を利用し、同一の映像コンテンツを複数の映像機器600−A、B、Cに配信し、複数のユーザで共通の映像コンテンツの同期を取りながら視聴することが可能となる。また、通信装置700を利用し、複数の映像機器600−A、B、Cに配信した映像コンテンツの切替制御を行うことが可能となる。
【００９９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１００】
例えば、上述した本実施形態における映像配信システムを構成する各装置における制御動作は、ハードウェア、または、ソフトウェア、あるいは、両者の複合構成を用いて実行することも可能である。
【０１０１】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１０２】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１０３】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１０４】
また、本実施形態における映像配信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【産業上の利用可能性】
【０１０５】
本発明は、映像コンテンツの配信サービスに適用可能である。
【図面の簡単な説明】
【０１０６】
【図１】第１の実施形態の映像配信システムのシステム構成例を示す図である。
【図２】第１の実施形態の映像配信システムにおける一連の処理動作例を示す第１のシーケンスチャートである。
【図３】コンテンツ配信サーバ400で管理するテーブル構成例（コンテンツ管理テーブル）を示す図である。
【図４】コンテンツ配信サーバ400で管理するテーブル構成例（リスト管理テーブル）を示す図である。
【図５】第１の実施形態の映像配信システムにおける一連の処理動作例を示す第２のシーケンスチャートである。
【図６】第２の実施形態の映像配信システムのシステム構成例を示す図である。
【図７】第２の実施形態の映像配信システムにおける一連の処理動作例を示すシーケンスチャートである。
【図８】ポータルサーバ500で管理するテーブル構成例（ユーザ情報管理テーブル）を示す図である。
【図９】ポータルサーバ500で管理するテーブル構成例を示す図である。
【図１０】ポータルサーバ500で管理するテーブル構成例を示す図である。
【図１１】コンテンツ配信サーバ400で管理するテーブル構成例を示す図である。
【図１２】ポータルサーバ500で管理するテーブル構成例（変換テーブル）を示す図である。
【図１３】第３の実施形態の映像配信システムにおける処理動作を説明するための図であり、映像コンテンツの切替制御を説明するための図である。
【図１４】コンテンツ管理テーブルで管理するテーブル構成例を示す図である。
【図１５】第３の実施形態の映像配信システムにおける一連の処理動作例を示すシーケンスチャートである。
【図１６】ポータルサーバ500で管理するテーブル構成例（変換テーブル）を示す図である。
【符号の説明】
【０１０７】
１００    撮像装置
２００    映像処理装置
３００    アップロードサーバ
３０１    ストレージ
４００    コンテンツ配信サーバ
５００    ポータルサーバ
６００    映像機器
６００−A、B、C    映像機器
７００−A、B、C    通信装置
NW    ネットワーク
【図１】
2010074773.tif 000003
【図２】
2010074773.tif 000004
【図３】
2010074773.tif 000005
【図４】
2010074773.tif 000006
【図５】
2010074773.tif 000007
【図６】
2010074773.tif 000008
【図７】
2010074773.tif 000009
【図８】
2010074773.tif 000010
【図９】
2010074773.tif 000011
【図１０】
2010074773.tif 000012
【図１１】
2010074773.tif 000013
【図１２】
2010074773.tif 000014
【図１３】
2010074773.tif 000015
【図１４】
2010074773.tif 000016
【図１５】
2010074773.tif 000017
【図１６】
2010074773.tif 000018